(57)【要約】【課題】  ボールペンの軸の長さを伸縮可能にして、アクセサリーとして持ち歩くも可能で、使用の際はキャップを外すと自動にペン軸が伸びて便利に使えることを目的としている。【解決手段】  本発明は、ペン芯（４０）を収納したペン軸（１０）とキャップ（５０）に分け、更にペン軸（１０）はペン芯（４０）がアンテナ式に伸びたり収納されたりできるように先端ペン軸（２０）と後方ペン軸（３０）に分けられている。先端ペン軸（３０）の前方にボールペンチップ（４１）が露出されるのと同時に、外周面に引っ掛かり突起（２２）が形成されている前方キャップ（２１）が固定される。後方ペン軸（３０）の後方を密封させるように後方キャップ（３１）が締結される。キャップ（５０）の内周面に、前方キャップ（２１）の引っ掛かり突起（２２）と差し込み時に結合される締結突起（５２）が備えられる。【選択図】図１
2005280333.tif 000002
【特許請求の範囲】
【請求項１】
ペン軸と、それを収容するキャップに分割構成されるボールペンにおいて、
前記ペン軸は、ペン芯を収納した先端ペン軸と、該先端ペン軸がスライド可能に引入かつ引出される後方ペン軸とから成り、
先端ペン軸の前方に、ボールペンチップが露出されると共に外周面に引っ掛かり突起が形成されている前方キャップを固定し、
先端ペン軸を挿入した後方ペン軸の後方を密封するように後方キャップを締結し、
前記キャップの内周面に締結突起を形成して、該キャップ内に前記ペン軸を収容した際に、前記締結突起が前記前方キャップの引っ掛かり突起に係止されることから成る長さの可変式ボールペン。
【請求項２】
前記先端ペン軸が、前記後方ペン軸の外側に完全に離脱されないように後方ペン軸の前方側の内周面の直径が先端ペン軸の後方側の外周面の直径より小さく形成した請求項１に記載の長さの可変式ボールペン。
【請求項３】
前記キャップの一側に繋ぎ穴が作られていて、そこに繋ぎ部材を付けることを可能にした請求項１に記載の長さの可変式ボールペン。
【発明の詳細な説明】
【技術分野】
【０００１】
本発明は長さの可変式ボールペンに関し、特に、ボールペンの軸の長さを短くしてアクセサリー形態として持ち歩き可能にする一方、ボールペンとして使用の時にはキャップを外せば自動に軸が伸びるようになっている長さの可変式ボールペンに関する。
【背景技術】
【０００２】
近年、小物の商品らが人気を集めるにしたがって、ボールペンのようなあらゆる筆記具もコンパクト化され販売されている。とりわけ、ボールペンは携帯電話、キーホルダー、カバンなどに付けやすく、持ち歩きやすい長所がある為、商品のコンパクト化が進行し、アクセサリーとしての機能も持つに至っている。
【０００３】
従来のアクサセリー兼用で使われていたボールペンは長さが短くなっていて持ち歩きやすくて便利ではあるが、ボールペンとして使用するには小さい為に、手に取り難くて使用の時には手に余計な力が入ってしまう傾向がある。それで、長時間使うのは困難であり、しかも手の大きな人はボールペンが手に取り難くて、使用する時不便さを感じていた。上述したような点を解消しようとして、キャップ付きのボールペンが登場し、キャップに軸の本体を結合させて使用するようにしたものの、キャップと結合して使用する時には、キャップと軸の本体がぴったり合わなかったりうまく結合できなくてガタガタしたり、はずれたりする等の問題点が発生した。またキャップに他の部材（パーツ）を付けた場合はキャップと一緒に結合しては使用できないなどの問題が発生した。
【発明の開示】
【発明が解決しようとする課題】
【０００４】
本発明は、係る問題点を解決して、非使用の際は長さを短く収納しておいて、その反面、使用の際には長さを伸ばして書きやすくし、携帯性及び使用性を向上させることを目的としている。
【課題を解決するための手段】
【０００５】
上述の目的を達成するために、本発明の長さの可変式ボールペンは、ペン軸とこれを収納するキャップに分けられ、更に、ペン軸はペン芯が収納された先端ペン軸と、この先端ペン軸がアンテナ式にスライド可能に引入／引出される後方ペン軸に分けられている。
【０００６】
先端ペン軸の前方に前方キャップが固定され、この前方キャップからはボールペンチップが露出されると共に、その外周面に引っ掛かり突起が形成されている。この引っ掛かり突起は、キャップ内部へ差し込んだ際にキャップの内周面に備えられる締結突起に結合される。後方ペン軸の内周面後方には、内周面を密封させるように後方キャップが締結される。
【発明の効果】
【０００７】
本発明による長さの可変式ボールペンは、持ち歩くに便利で、使用者は連結の部材を用いて携帯電話や財布などの締結口に締結しておけば、メモを取る時容易にキャップから脱去して使うことができる。また、キャップから脱去の際、結合部からペン筒の長さが自動に伸びるから使いやすいだけではなく、手に取るにも無理に力を入れなくても使用者は便利に使える。それにアクセサリーとしても使用可能な長所がある。
【発明を実施するための最良の形態】
【０００８】
以下、本発明を具体化する長さの可変式ボールペンの構成及び作用を、例示図面を参照して詳述する。なお、本明細書において、「前方」とか「先端」という用語は、相対的にペン先（ボールペンチップ）側を意味し、その逆側を示す用語として「後方」を用いている。
【０００９】
図３は、ペン軸（１０）がキャップ（５０）から完全に脱去の状態で示す斜視図である。ペン軸（１０）は、全体的には円筒形状の後方ペン軸（３０）と、その円筒内部からアンテナ式にスライド可能に引入、引出される先端ペン軸（２０）とから構成される。後方ペン軸（３０）の後方には、先端ペン軸（２０）が挿入されるように開けられた円筒内周面を閉じる後方キャップ（３１）が結合される。この結合は、例えば、後方ペン軸（３０）の結合面外周と後方キャップ（３１）の内周の両方に、ネジ溝を形成してネジ結合により行うことができる。
【００１０】
図１は本発明の一具体例による長さの可変式ボールペン収容状態を示す断面図である。図示のペン軸（１０）は、ペン芯（４０）を前方側から収納した先端ペン軸（２０）が、アンテナ式に引入或いは引出される後方ペン軸（３０）内に収納された状態で、さらにこのペン軸（１０）がキャップ（５０）内に収納された状態で示されている。先端ペン軸（２０）には、その内周面に中空の開口部が形成されて、そこにペン芯（４０）が前方側から収納されて、後方側には抜け出ないように構成されている。後方ペン軸（３０）内部に後方から挿入される先端ペン軸（２０）は、後方ペン軸（３０）から前方外部に離脱しないように、後方外周面の径を大きくする等した引っ掛かりが形成されている。さらに、先端ペン軸（２０）の前方には、引っ掛かり突起（２２）が形成されている前方キャップ（２１）が、ネジ結合等により着脱自在に結合される。但し、このようなネジ結合以外にも、接着剤で接合する等の他の接合手段を用いることが可能である。この前方キャップ（２１）は、取り外した状態でペン芯（４０）を前方から挿入することができ、取り付けた状態で、ペン芯（４０）を挿入された位置に固定することができる。後方ペン軸（３０）の後部には、後方キャップ（３１）がネジ結合等により着脱自在に結合される。
【００１１】
組み立てに際しては、後方キャップ（３１）を取り外して、後方ペン軸（３０）の内周面中空部を後方から貫き通して先端ペン軸（２０）が挿入される。この後、先端ペン軸（２０）にペン芯（４０）を前方から挿入した状態で、その位置に固定するように、前方キャップ（２１）が結合される。先端ペン軸（２０）は、後方ペン軸（３０）の前方外部に離脱されないようにかつ使用時にはその位置で係止されるように、後方ペン軸（３０）の前方内面に引っ掛かり部が形成されている。即ち、後方ペン軸（３０）の前方内周面の内径を、先端ペン軸（２０）の後方外周面の外径より小さく形成することにより、先端ペン軸（２０）が後方ペン軸（３０）内部より前方に抜き出るのを阻止すると共にその位置で係止する。それから、後方ペン軸（３０）の後方には、先端ペン軸（２０）の収納のための開口部を密閉させる後方キャップ（３１）が締結される。
【００１２】
後方ペン軸（３０）がキャップ（５０）に挿入される際、所定部分だけ挿入されるためのストッパとして機能するように、後方ペン軸の外周面の後方に、キャップ（５０）の端部が当接する引っ掛かり突起（３２）を形成する。後方ペン軸（３０）をキャップ（５０）から引き出す際には、この引っ掛かり突起（３２）を指で掴んで引っ張ることができる。
【００１３】
前方キャップ（２１）は、その外周面の後方側に、引っ掛かり突起（２２）が形成される一方、前方キャップ（２１）の内周面後方に、ペン芯（４０）を収納した先端ペン軸（２０）がネジ結合等により着脱自在に固定される。前方キャップ（２１）の内部にはペン芯（４０）が貫通して、その前方にはボールペンチップ（４１）が突出される。先端ペン軸（２０）が後方ペン軸（３０）内部に後方へ引入される時、先端ペン軸（２０）に固定された前方キャップ（２１）の後方端部が、後方ペン軸（３０）の前方端部に当接して、完全に入り込まないようにストッパを形成している。前方キャップ（２１）の後部の引っ掛かり突起（２２）は、図１の拡大図に示すように、それ自体は軸方向に平坦であるが、その外径を先端側から徐々に大きくすることにより形成したものである。一方、キャップ（５０）の内周面の締結突起（５２）は、連続或いは不連続のリング状に形成することができる。この締結突起（５２）内に、引っ掛かり突起（２２）を差込むことにより前方キャップ（２１）とキャップ（５０）を結合し、ペン軸（１０）を脱去する時、先端ペン軸（２０）が後方ペン軸（３０）内部から自動に引出されるように導く役目を果たしている。
【００１４】
後方キャップ（３１）は一側（片方）が開放した有底円筒形の部材になっていて、先端ペン軸（２０）を後方ペン軸（３０）の内部に挿入できるように開けられた開口部を密閉している。この際、後方キャップ（３１）と後方ペン軸（３０）の結合方法はネジで繋いだ方が望ましいが、樹脂或いは金属により形成した結合部の面を精密に加工して圧入差しこみの締結方法も可能である。前端を閉じると共に後端を開放した全体的には円筒形状のキャップ（５０）は、ペン軸（１０）を収容する時には、その後端開放側からペン軸（１０）を挿入する。この際、前方キャップ（２１）の引っ掛かり突起（２２）が結合できるように、キャップ（５０）の内周面に突出された締結突起（５２）が形成されている。また、キャップ（５０）はペン軸（１０）のボールペンチップ（４１）を保護するとともに外部にインクが付かないようにする役目も果たす。
【００１５】
図２の（Ａ），（Ｂ），（Ｃ）は、図１に示されたペン軸がキャップから脱去される過程を説明するための図であり、（Ａ）はペン軸（１０）がキャップ（５０）内部に収容されて結合された状態を、（Ｂ）はペン軸（１０）の脱去の時、前方キャップ（２１）の引っ掛かり突起（２２）とキャップ（５０）の締結突起（５２）の係合作用によって、依然として係止されている先端ペン軸（２０）から、後方ペン軸（３０）を離脱する過程を、そして、（Ｃ）は先端ペン軸（２０）と後方ペン軸（３０）の重畳部位がしっかり差し込まれるにしたがって引っ掛かり突起（２２）が締結突起（５２）から離脱され、キャップ（５０）からペン軸（１０）が脱去される過程を表したものである。
【００１６】
キャップ（５０）は、ペン軸（１０）が挿入できるように後方から開口部を形成し、かつ前方キャップ（２１）の引っ掛かり突起（２２）が結合できるように内周面に突出された締結突起（５２）が形成される。これによって、ペン軸（１０）がキャップ（５０）に挿入されるとき、引っ掛かり突起（２２）は締結突起（５２）に差し込んで、それらを構成する樹脂などの弾性力を利用して締結される。ペン軸（１０）を外側に脱去する時に、引っ掛かり突起（２２）と締結突起（５２）の係合作用によって、後方ペン軸（３０）は後方へ脱去されるが、先端ペン軸（２０）は前方キャップ（２１）の引っ掛かり突起（２２）によって依然として係止される。後方ペン軸（３０）が、キャップ（５０）から完全に脱去される時に初めて、前方キャップ（２１）の引っ掛かり突起（２２）が締結突起（５２）から離脱されて、ペン軸（１０）がキャップ（５０）から脱去されることになる。
【００１７】
図４の（Ａ）、（Ｂ）は本発明による長さの可変式ボールペンのキャップに繋ぎ穴（５５）が作られていて、その繋ぎ穴に繋ぎ部材（カニカンのようなパーツ）が付けられ、アクセサリーとしても使用可能にしたものであり、（Ａ）はキャップ（５０）の一側（片方）に繋ぎ穴（５５）を作った状態を断面図で表し、（Ｂ）は繋ぎ穴（５５）に繋ぎ部材（６０）を付けた状態を斜視図で示している。繋ぎ穴（５５）には繋ぎ部材（６０）をもって他の部材と繋いで使用者の好み次第にかばん、携帯電話などに付け、自由自在に使うことができる。なお、ペン軸（１０）は、図示の例以外にも、多様な形態に変形して適用が可能であることは言うまでもない。
【図面の簡単な説明】
【００１８】
【図１】本発明の一具体例を示す断面図である。
【図２】（Ａ），（Ｂ），（Ｃ）は、それぞれ、本発明の使用状態を説明する図である。
【図３】ペン軸がキャップから完全に脱去の状態を示す斜視図である。
【図４】本発明による長さの可変式ボールペンに繋ぎ穴を付けた状態の断面図（Ａ）及び繋ぎ部材（カニカン等）を付けた斜視図（Ｂ）である。
【符号の説明】
【００１９】
１０：ペン軸
２０：先端ペン軸
２１：前方キャップ
２２：引っ掛かり突起
３０：後方ペン軸
３２：引っ掛かり突起
３１：後方キャップ
４０：ペン芯
４１：ボールペンチップ
５０：キャップ
５２：締結突起
５５：繋ぎ穴
６０：繋ぎ部材
【図１】
2005280333.tif 000003
【図２】
2005280333.tif 000004
【図３】
2005280333.tif 000005
【図４】
2005280333.tif 000006